(57)【特許請求の範囲】
【請求項１】
留置針とカテーテルとを含む穿刺具であって、
前記カテーテルの基端部内に配置されたＩＣタグと、
前記ＩＣタグと接続されたアンテナと、
前記ＩＣタグと接続された第１及び第２の電極部と、
前記留置針が装填される前記カテーテルの鞘部内に配置され、前記第１及び第２の電極部とそれぞれ接続された第１及び第２の配線部材とを備え、
前記第１及び第２の配線部材は前記鞘部の先端部において露出し、かつ、前記鞘部内において互いに電気的に非接続であって、
前記留置針が患者の体内に穿刺され、前記第１及び第２の配線部材の露出部分が血液に接触した場合に、前記第１及び第２の配線部材と前記血液とを介して前記第１及び第２の電極部は導通し、
前記ＩＣタグは、前記第１及び第２の電極部における導通を検知すると、該ＩＣタグに設けられた記憶部に導通履歴を記憶することを特徴とする穿刺具。
【請求項２】
ＩＣタグと、
前記ＩＣタグと接続されたアンテナと、
前記ＩＣタグと接続された第１及び第２の電極部と、
前記第１の電極部と接続され、先端に刃先を形成した導電性材料で構成される針と、
前記針上に、該針とは絶縁されて配置され、かつ、前記第２の電極部と接続された配線部材とを備え、
前記配線部材は前記針の先端付近において露出し、
前記針が患者の体内に穿刺され、前記針と前記配線部材の露出部分とが血液に接触した場合に、前記針、前記配線部材及び前記血液を介して前記第１及び第２の電極部は導通し、
前記ＩＣタグは、前記第１及び第２の電極部における導通を検知すると、該ＩＣタグに設けられた記憶部に導通履歴を記憶することを特徴とする穿刺具。
【請求項３】
前記ＩＣタグは、前記アンテナを介して外部装置と通信する通信手段を備え、
前記導通を検知した場合に、前記通信手段により前記外部装置との通信を行うことを特徴とする請求項１又は２に記載の穿刺具。
【発明の詳細な説明】
【技術分野】
【０００１】
本発明は、無線ＩＣタグを備え、針先が血管内に挿入されたことを検知する穿刺具に関する。
【背景技術】
【０００２】
注射や採血の際には、先端に鋭利な針先を有する針を静脈等の血管に刺し、針先が血管内にあることを確認してから薬液の注入や、血液の採取を行う必要がある。しかし、針先が血管内に到達していないにもかかわらず、薬液注入や採血を行うことは、目的を達することができないばかりか、痛みや内出血等、患者に多大な苦痛を与えることとなる。そのため、注射針や留置針等には、針先が血管内に到達していることを検知することが必要とされている。
【０００３】
特許文献１は、血管内に挿入される針の先端から体外に位置する針の中ほどまで、針の外壁に血液が通る溝を設け、針先を除く針全体を覆うように被せられたカテーテルの内面との間に血液通路を形成した留置針を開示している。特許文献１の留置針は、針を刺した際に、針先部分は見えないが、血管内に針先が到達した場合、体外にある溝に血液が進入するため、針先が血管内にあることを知ることができる。
【０００４】
特許文献２は、人体の奥深いところに穿刺する中心静脈穿刺や麻酔用硬膜外針の穿刺位置の検出法として、人体部位の電気特性の変化を利用する方法を開示している。この１つの方法は、電気的に連結可能な導電性の穿刺針と探り針を用い、穿刺容易な末端静脈に探り針を穿刺してから、電気を流し、電気抵抗の変化から穿刺針が血管に到達していることを確認する。
【０００５】
特許文献３は、人体内の部位により電気特性が異なることを利用し、針の先端に端子を露出させた２以上のケーブルに電気を流し、針の先端が生体組織を通過する毎に変化する電流の変化を検知する技術を開示している。特許文献３の技術は、電流の変化を検知することで、針の先端が目的部位である硬膜外腔に到達したことを検知する麻酔用硬膜外針に関するものである。
【特許文献１】特開平１１−０８９９３９号公報
【特許文献２】特開２００２−２８２４７号公報
【特許文献３】特開２００４−２４２９３６
【発明の開示】
【発明が解決しようとする課題】
【０００６】
特許文献１のような溝付き留置針においては、針部分を体外に引き出して、外側のカテーテルのみを血管内に留置して、薬液を注入する。しかしながら、特許文献１の留置針は、血液の流路が針の外側に形成されているため、針を抜き出すと、血液が飛散して医師や看護師を菌汚染するおそれがある。
【０００７】
また、人体の電気特性を利用した特許文献２および特許文献３の針は、針と電流を計測するメーターがケーブルでつながっているため、取り扱いが不便であり、使い捨て医療機器としてふさわしくない。
【０００８】
本発明は、上述の問題に鑑みてなされたものであり、安全性を備えつつも、簡易な構造で針先が血管に到達したことを検知する穿刺具を提供することを目的とする。
【課題を解決するための手段】
【０００９】
上記課題を解決するための一の形態に対応する本発明は、留置針とカテーテルとを含む穿刺具であって、前記カテーテルの基端部内に配置されたＩＣタグと、前記ＩＣタグと接続されたアンテナと、前記ＩＣタグと接続された第１及び第２の電極部と、前記留置針が装填される前記カテーテルの鞘部内に配置され、前記第１及び第２の電極部とそれぞれ接続された第１及び第２の配線部材とを備え、前記第１及び第２の配線部材は前記鞘部の先端部において露出し、かつ、前記鞘部内において互いに電気的に非接続であって、前記留置針が患者の体内に穿刺され、前記第１及び第２の配線部材の露出部分が血液に接触した場合に、前記第１及び第２の配線部材と前記血液とを介して前記第１及び第２の電極部は導通し、前記ＩＣタグは、前記第１及び第２の電極部における導通を検知すると、該ＩＣタグに設けられた記憶部に導通履歴を記憶することを特徴とする。
【００１０】
上記課題を解決するための他の形態に対応する本発明は、ＩＣタグと、前記ＩＣタグと接続されたアンテナと、前記ＩＣタグと接続された第１及び第２の電極部と、前記第１の電極部と接続され、先端に刃先を形成した導電性材料で構成される針と、前記針上に、該針とは絶縁されて配置され、かつ、前記第２の電極部と接続された配線部材とを備え、前記配線部材は前記針の先端付近において露出し、前記針が患者の体内に穿刺され、前記針と前記配線部材の露出部分とが血液に接触した場合に、前記針、前記配線部材及び前記血液を介して前記第１及び第２の電極部は導通し、前記ＩＣタグは、前記第１及び第２の電極部における導通を検知すると、該ＩＣタグに設けられた記憶部に導通履歴を記憶することを特徴とする。
【００１１】
上記課題を解決するための更に他の形態に対応する本発明は、前記ＩＣタグは、前記アンテナを介して外部装置と通信する通信手段を備え、前記導通を検知した場合に、前記通信手段により前記外部装置との通信を行うことを特徴とする。
【発明の効果】
【００１２】
本発明によれば、安全性を備えつつも、簡易な構造で針先が血管に到達したことを検知する穿刺具を提供することができる。
【発明を実施するための最良の形態】
【００１３】
以下、本発明に係る実施形態について図面を用いて説明する。なお、以下の実施の形態は特許請求の範囲に記載された発明を限定するものでなく、また本実施形態で説明されている特徴の組み合わせの全てが本発明の解決手段に必須のものとは限らない。
【００１４】
本発明の穿刺具は、人体の電気的特性を用いて、穿刺具の針先が人体の組織に到達した場合に、ＩＣタグと外部装置との間で無線通信が確立される。これは、無線通信が確立されたか否かによって、所望の部位（例えば、血管内）に針先が到達したか否かを確認する。
【００１５】
図１は、第１の実施形態および第２の実施形態に対応する、ＩＣチップのチップ構成を示すブロック図である。しかしながら、本チップ構成は、一例として挙げたものであり、本発明におけるＩＣチップのチップ構成を限定するわけではない。なお、本チップ構成は、本発明を説明する上で重要な要素についてのみ記載をおこなう。
【００１６】
ＩＣタグ１００は、穿刺具１０内に配置され、ＩＣチップ１０２およびアンテナ１１０を含んで構成される。また、ＩＣチップ１０２は、制御部１０４、記憶部１０６およびＲＦ部１０８を含む。制御部１０４は、ＩＣタグの読み取り機である外部装置１２０からの指示により記憶部１０６に記憶された情報を読み出し、かつ、ＲＦ部１０８へ伝達する。使用する周波数は、１３．５６ＭＨｚ、２．４５ＧＨｚまたは８６０から９６０ＭＨｚなどを用いる。この場合、通信可能な距離は、１３．５６ＭＨｚで５０ｃｍ程度、２．４５ＧＨｚで１００ｃｍ程度となる。また、制御部１０４は、所定の情報を記憶部１０６へ書き込む。例えば、記憶部１０６は、メーカ名、薬剤名、用法、容量、警告、禁忌、滅菌温度または時間等を記憶させる書き込み不可のＥＥＰＲＯＭと、ユーザ側で患者名、担当医師名などの情報を書き込んだり、または電気的状態変化を記憶するＲＡＭとを含むようにしてもよい。
【００１７】
また、本発明によれば、ＩＣタグ１００は、外部装置１２０から通信により電力が供給されるパッシブタイプのＩＣタグであることが望ましい。しかしながら、ＩＣタグ１００は、当該ＩＣタグ１００に電源を供給する電源部を含んでもよい。
【００１８】
さらに本発明に係る穿刺具は、当該ＩＣタグ１００と接続された導電部１１４を含む。この導電部１１４は、穿刺具が人体に穿刺されていない状態では、外部装置１２０からの通信により電力が供給されたとしても、正常にＩＣタグ１００が動作しないように作用する。具体的に、導電部１１４は穿刺により導通する導通パターンを有しており、この導通パターンにおける導通の有無により、ＩＣタグ１００の動作が制御される。よって、穿刺具が穿刺されない状態では、ＩＣタグ１００は正常に動作しない。しかしながら、人体への穿刺が行われれば、導通パターンが人体の組織を介して導通され、ＩＣタグ１００が正常に動作可能となる。この場合、ＩＣタグ１００は、外部装置１２０と通信することができる。
【００１９】
ＲＦ部１０８は、無線通信を制御するためのものであり、送信器および受信器を含む。送信器および受信器は、通常ＩＣタグで使用されるようなものであればよい。簡単に説明すると、送信器は、変調器、フィルタおよびアンプを含み、デジタル信号に変調をかけ、不要な成分をフィルタで除去してからアンプで増幅し、アンテナ１１０から放射をおこなう。受信器は、フィルタ、アンプ、復調器およびフィルタを含み、空間を伝播されてくる信号をアンテナ１１０で受信し、フィルタで必要な帯域を取り出す。さらに、受信器は、これをアンプで増幅し、復号器で周波数変換をおこなって信号を復号する。
【００２０】
外部装置１２０は、送信部１２１、受信部１２２、報知部１２３及び制御部１２４を備える。
【００２１】
送信部１２１は、２．４５ＧＨｚ帯発振器、変調器、増幅器及びアンテナなどで構成され、信号源である２．４５ＧＨｚ帯発振器と制御部１２３からの動作クロックを変調器により変調して、アンテナよりＩＣタグ１００へ質問波を送信する。
【００２２】
受信部１２２は、ＩＣタグ１００からの応答波を検知してＩＤ情報などを生成する。報知部１２３は、ディスプレイやスピーカーを備えており、ＩＣタグ１００との通信に基づき、穿刺が完了したか否かを穿刺具１０のユーザーに通知する。例えば、ディスプレイ上の表示、或いはスピーカーによる音声報知により、穿刺の完了を通知することができる。制御部１２４では、ＩＣタグ１００との間の送受信に際して周波数制御を行う。
【００２３】
[第１の実施形態]
図２ａは、第１の実施形態に対応する穿刺具１０の一例を示す断面図である。本実施形態における穿刺具２００は、留置針を含むカテーテルが導電部１１４とＩＣタグ１００とを備えることを特徴とする。本実施形態では、ＩＣタグ１００と外部装置１２０との間で無線通信を行い、ＩＣタグ１００から所定の情報を受信可能か否かによって、カテーテルが所望の部位に到達したか否かを判定する技術について主に記載する。
【００２４】
穿刺具２００は、基端部２０２と管状体の鞘部２０７で構成され、穿刺後に人体へ留置されるカテーテルと、鋭利な針先を有する留置針２０１とを含む。留置針２０１は、カテーテル内に装填され、カテーテルの鞘部２０７の先端部から突出している。留置針２０１はまた、穿刺後に人体へ薬剤を注入または血液を採取するための空洞領域２０３を有する。穿刺具２００は、無線通信可能なＩＣタグ１００と、導通部１１４として、１対の電極部２０４ａ（第１の電極部）、電極部２０４ｂ（第２の電極部）、配線部２０６ａ、２０６ｂを含む。また、第１の電極部、第２の電極部は、１対に限らず複数の電極部を設けてもよい。なお、図２ａではアンテナ１１０の記載を省略したが、ＩＣタグ１００はアンテナ１１０と接続され、外部装置１２０と通信可能となっている。アンテナ１１０は、例えばカテーテルの不図示の延長チューブ表面に設置してもよい。
【００２５】
ＩＣタグ１００は、カテーテルの基端部２０２の針基に配置される。また、１対の電極部２０４ａ、２０４ｂは、ＩＣタグ１００および配線部２０６ａ、２０６ｂと接続される。配線部２０６ａ、２０６ｂは、銅などの導線または導電性金属であり、図２ａに示すように、カテーテル先端近傍に配置される。配線部２０６ａ、２０６ｂは更に、穿刺前の状態で導通しないように、カテーテルの鞘部２０７により覆われている。
【００２６】
鞘部の材料は、特に限定されないが、ポリオレフィン、オレフィン系エラストマー、ポリエステル、軟質ポリ塩化ビニル、ポリウレタン、ウレタン系エラストマー、ポリアミド、アミド系エラストマー、ポリテトラフルオロエチレン、フッ素樹脂エラストマー、ポリイミド、エチレン−酢酸ビニル共重合体、シリコンゴムなどの高分子材料等を使用することができる。
【００２７】
鞘部２０７を高分子材料から形成する場合、例えば、超弾性合金のパイプや、金属からなる埋め込みコイルまたは埋め込みメッシュを利用して複合化し、剛性を向上させることが可能である。
【００２８】
また、配線部２０６ａ、２０６ｂは、図２ａに示すように、先端が切断されており先端部２０８ａ及び２０８ｂは互いに接続されていない。よって、電極２０４ａと２０４ｂとは穿刺前の状態では導通しない。ＩＣタグ１００では、電極２０４ａと２０４ｂとの導通状態を制御部１０４により監視している。制御部１０４では、電極間の導通が得られない場合には、外部装置１２０からの所定の情報（例えば、穿刺完了を表すフラグ情報）の送信を行わない。
【００２９】
図２ｂは、制御部１０４と導通部１１４との図２ａに対応する接続形態の一例を示す図である。図２ｂにおいて、電極２０４ａと２０４ｂとはそれぞれ制御部１０４に接続される。電極２０４ａには配線部２０６ａが接続され、電極２０４ｂには配線部２０６ｂが接続されている。穿刺前の状態では、配線部２０６ａと２０６ｂとは互いに物理的に切り離されている。制御部１０４は、電極２０４ａ及び２０４ｂとが導通していない状態を検知することができる。
【００３０】
一方、採血を行う場合等に留置針２０１が患部に穿刺されると、留置針２０１の先端近傍に位置する配線部２０６ａ及び２０６ｂの先端断面２０８ａ及び２０８ｂが体液（血液）に接触することとなる。配線部２０６ａ及び２０６ｂは、体液を媒介として導通可能であり、これにより電極部２０４ａと２０４ｂとが導通状態に移行する。制御部１０４は、穿刺によるこの導通状態を検知し、ＲＦ部１０８を利用して、導通判断する閾値（電流値等）を記憶部１０６に記憶することができる。なお、この閾値は、例えば、記憶部１０６に複数記憶されるようにしてもよい。この場合、それぞれの閾値に対応したフラグを送信して、穿刺状況をモニタできるようにしてもよい。また、記憶部１０６に記憶された複数の閾値の何れかに達した導通履歴を記憶部１０６に記憶し、外部アクセスにより、過去の穿刺履歴を読み出すようにしてもよい。これにより、穿刺具２００の使用履歴が確認でき、二度使用することを防止しうる。
【００３１】
この場合、外部装置１２０は、ＩＣタグ１００から送信された当該フラグ情報に基づき、穿刺の完了を検知することができる。
【００３２】
なお、配線部２０６ａ、２０６ｂをＩＣチップ１０２のアンテナ１１０の一部として構成し、導通により外部装置１２０との通信を可能としてもよい。この場合、穿刺前は、アンテナ１１０が機能しなくなるため、ＩＣタグ１００と外部装置１２０との間の通信が確立できないこととなる。一方、穿刺後は、配線部２０６ａ及び２０６ｂの導通によりアンテナ１１０の機能が確保され、ＩＣタグ１００と外部装置１２０との間の通信が確立可能となる。この場合、外部装置１２０はＩＣタグ１００との間で通信を確立できれば、穿刺が完了したことを検知することができる。
【００３３】
このようにして穿刺具２００の留置針２０１が血管内に挿入され、外部装置１２０が穿刺の完了を検知すると、外部装置１２０の報知部１２３で所定のメッセージが表示或いは報知され、ユーザーは穿刺が確実に行われたことを確認することができる。
【００３４】
次に、図３を参照して、穿刺具２００の断面構成を説明する。図３は、第１の実施形態に対応する、穿刺具２００の断面構成の一例を示す図である。
【００３５】
図３は、図２ａにおいて、２１０ａと２１０ｂとを結ぶ点線に沿って穿刺具２００を切断した場合に、矢印の方向に断面を見た場合を示す。このときの断面には、カテーテルの鞘部２０７の中空領域に留置針２０１が配置されている。また、鞘部２０７内には１対の電極部２０４ａ（第１の電極部）、電極部２０４ｂ（第２の電極部）と接続される配線部２０６ａ、２０６ｂが含まれている。ここで、配線部２０６ａ及び２０６ｂは、図２ａに示すように先端部２０８ａ及び２０８ｂのみが鞘部２０７から露出し、他の部分は鞘部２０７により覆われることが望ましい。また、露出した先端部２０８ａ及び２０８ｂは、刃面側と、その１８０°反対側となる配置が最も効果的である。
【００３６】
これは、一般に留置針２０１は導電性金属であるので、配線部２０６ａ及び２０６ｂと留置針２０１との接触を防止するためである。このような構造により、穿刺具２００が血管内に挿入された場合、配線部２０６ａ及び２０６ｂの先端部分２０８ａ及び２０８ｂが共に血液に接触した場合にのみ、電極部２０４ａ及び２０４ｂの導通状態が確保されることとなる。
【００３７】
なお、ＩＣタグ１００の通信距離は、アンテナ１１０の大きさに比例する。したがって、十分な通信距離を確保するために、アンテナ１１０を留置針２０１の針基を周回するように巻きつけて配置してもよい。
【００３８】
以上の本実施形態に対応する穿刺具２００によれば、カテーテルの留置針に血液を引き出すための溝部分を設けることなく、穿刺の完了を検知することができる。よって、針２０１を引き出した場合でも、溝部分に溜まった血液が飛散することなく、安全に注射や採血を行うことができる。さらに、本穿刺具２００は、外部装置１２０と無線通信可能なＩＣタグ１００を含み、穿刺の完了の検知が可能となる。これによりケーブル等を使用する必要がなく、小型で従来の穿刺具と全く同じように使用することができ、容易に注射や採血を行うことができる。
【００３９】
[第２の実施形態]
次に、本発明の第２の実施形態について説明する。図４ａは、第２の実施形態に対応する、穿刺具１０の構成の一例を示す断面図である。本実施形態における穿刺具４００は、注射器に装填された注射針の針菅に導電性の導電部による電流パターンを形成し、針基にＩＣタグを形成することを特徴とする。
【００４０】
本実施形態では、ＩＣタグ１００と外部装置１２０との間で無線通信を行い、ＩＣタグ１００から所定の情報を受信可能か否かによって、穿刺具４００の針先が所望の部位に到達したか否かを判定する技術について主に記載する。
【００４１】
穿刺具４００は、鋭利な針先を有する針４０１および針基４０７を含む。針４０１は、針基４０７に挿入され、穿刺後に人体へ薬剤を注入または血液を採取するための空洞領域４０４を有する。さらに、針４０１は、針菅に配線部４０２および絶縁体４０３を含む。なお、針４０１の材料には、例えば、ステンレス等の導電性金属が用いられる。また、針基４０７は、無線通信可能なＩＣタグ１００およびＩＣタグ１００と接続された電極部４０５ａ、４０５ｂを含む。
【００４２】
本実施形態における配線部４０２は、絶縁体４０３による被膜により導電性の針４０１と電気的に切り離される。配線部４０２はまた、１対の電極部４０５ａ、４０５ｂのうち何れか一方と接続され、当該配線部４０２の先端部４０８のみが、絶縁体４０３の外部に露出する。他方の電極部４０５ａ又は４０５ｂには、図４ａに示すように、針４０１が直接に接続される。本実施形態によれば、導電性の金属である針４０１を配線の一部として利用することで、第１の実施形態のように１対の電極部に対して１対の導電部を接続する必要がない。
【００４３】
なお、図４ａではアンテナ１１０の記載を省略したが、ＩＣタグ１００はアンテナ１１０と接続され、外部装置１２０と通信可能となっている。アンテナ１１０は、例えば針基４０７或いは、注射器等の本体表面に設置してもよい。
【００４４】
図４ａに示すように、配線部４０２と針４０１とは、絶縁体４０３により電気的な接続が遮断された状態にあるので、電極部４０５ａ及び４０５ｂは穿刺前の状態では導通しない。絶縁体４０３の材料には、例えば、ポリ塩化ビニル樹脂、ポリエチレンまたはポリプロピレンなどのオレフィン系樹脂がある。ＩＣタグ１００では、電極４０５ａと４０５ｂとの導通状態を制御部１０４により監視している。制御部１０４では、電極間の導通が得られない場合には、外部装置１２０からの所定の情報（例えば、穿刺完了を表すフラグ情報）の送信を行わない。
【００４５】
図４ｂは、制御部１０４と導通部１１４との図４ａに対応する接続形態の一例を示す図である。実施形態に対応する導通部１１４は、針４０１、配線部４０２、絶縁体４０３及び電極部４０５ａ及び４０５ｂを含む。図４ｂにおいて、電極部４０５ａと４０５ｂとはそれぞれ制御部１０４に接続される。電極部４０５ａには配線部４０２が更に接続され、電極４０５ｂには針４０１が更に接続されている。穿刺前の状態では、配線部４０２と針４０１とは絶縁体４０３により電気的な接続が遮断されているので、制御部１０４は、電極部４０５ａ及び４０５ｂとが導通していない状態を検知することができる。
【００４６】
一方、採血を行う場合等に針４０１が患部に穿刺されると、針４０１の先端近傍に位置する配線部４０８の先端部４０８が体液（血液）に接触することとなる。この場合、針４０１と配線部４０２とは、体液を媒介として導通可能となり、これにより電極４０５ａと４０５ｂとが導通状態に移行する。制御部１０４は、穿刺によるこの導通状態を検知し、ＲＦ部１０８を利用して、導通判断する閾値（電流値等）を記憶部１０６に記憶することができる。なお、この閾値は、例えば、記憶部１０６に複数記憶されるようにしてもよい。この場合、それぞれの閾値に対応したフラグを送信して、穿刺状況をモニタできるようにしてもよい。また、記憶部１０６に記憶された複数の閾値の何れかに達した導通履歴を記憶部１０６に記憶し、外部アクセスにより、過去の穿刺履歴を読み出すようにしてもよい。これにより、穿刺具２００の使用履歴が確認でき、二度使用することを防止しうる。
【００４７】
この場合、外部装置１２０は、ＩＣタグ１００から送信された当該フラグ情報に基づき、穿刺の完了を検知することができる。
【００４８】
次に、図５を参照して、穿刺具４００の断面構成を説明する。図５は、第２の実施形態に対応する、穿刺具４００の断面構成の一例を示す図である。図５は、図４ａにおいて、４１０ａと４１０ｂとを結ぶ点線に沿って穿刺具４００を切断した場合に、矢印の方向に断面を見た場合を示す。このときの断面には、針４０１の上部の溝に絶縁体４０３が充填されるとともに、該絶縁体４０３内に配線部４０２が配置されている。このように、針４０１と配線部４０２とは、絶縁体４０３により電気的な接続が遮断されている。
【００４９】
以上の本実施形態に対応する穿刺具４００によれば、針自体の導電性を利用して、留置針に血液を引き出すための溝部分を設けることなく、穿刺の完了を検知することができる。よって、針４０１を引き出した場合でも、溝部分に溜まった血液が飛散することなく、安全に注射や採血を行うことができる。さらに、本穿刺具４００は、外部装置１２０と無線通信可能なＩＣタグ１００を含み、穿刺の完了の検知が可能となる。これによりケーブル等を使用する必要がなく、小型で従来の穿刺具と全く同じように使用することができ、容易に注射や採血を行うことができる。
【図面の簡単な説明】
【００５０】
【図１】第１の実施形態および第２の実施形態に対応する、ＩＣチップのチップ構成を示すブロック図である。
【図２ａ】第１の実施形態に対応する、穿刺具の一例を示す断面図である。
【図２ｂ】第１の実施形態に対応する、制御部１０４と導通部１１４との接続形態の一例を示す図である。
【図３】第１の実施形態に対応する、カテーテルの一例を示す断面図である。
【図４ａ】第２の実施形態に対応する、穿刺具の一例を示す断面図である。
【図４ｂ】第２の実施形態に対応する、制御部１０４と導通部１１４との接続形態の一例を示す図である。
【図５】第２の実施形態に対応する、針の一例を示す断面図である。
【図１】
0004828984.tif 000002
【図２ａ】
0004828984.tif 000003
【図２ｂ】
0004828984.tif 000004
【図３】
0004828984.tif 000005
【図４ａ】
0004828984.tif 000006
【図４ｂ】
0004828984.tif 000007
【図５】
0004828984.tif 000008